(57)【要約】【課題】遊技機枠に画像表示ユニットを取り付けるための構造の簡単化を図る。【解決手段】可動枠３は、左側部に位置するヒンジ４を中心とし、固定枠２の前部において前方に開かれかつ後方に閉じられるように片開き可能であり、可動枠３の盤収容室６の後壁には透視開口部７とレール８；９が設けられ、画像表示ユニット１５の表示画面が前方に向けられ、滑動部１８；１９がレール８；９に右側から嵌め込まれ、画像表示ユニット１５が右から左方向に移動させられ、滑動部１８；１９がストッパ１０；１２に受け止められた後、ねじ釘２２が表示固定部１１からレール固定部２０に締結され、ねじ釘２３がレール固定部２１から表示固定部１３に締結され、画像表示ユニット１５の脱落が防止でき、画像表示ユニット１５が補強材となって可動枠３の撓みを防止することができる。【選択図】図１
2009056250.tif 000002
【特許請求の範囲】
【請求項１】
遊技機枠は固定枠の前部に可動枠を開閉可能に備え、可動枠には前方に開口し前後方向に奥行の有る箱形に構成された盤収容室が設けられ、盤収容室の後壁には画像表示ユニットの表示画面を見せるための透視開口部と画像表示ユニットを左右方向に移動可能でかつ前後方向に移動不能となるように摺接係合させる上下に相対峙するレールとが設けられ、画像表示ユニットがレールに嵌め込まれ、画像表示ユニットの表示画面が透視開口部と前後方向で対向した後、画像表示ユニットがレールに後方からねじ釘で固定されたことを特徴とするパチンコ遊技機の画像表示取付装置。
【請求項２】
少なくとも一方のレールにストッパが設けられ、画像表示ユニットがレールに嵌め込まれ、画像表示ユニットの表示画面が透視開口部と前後方向で対向した場合、画像表示ユニットがストッパで受け止められることを特徴とする請求項１記載のパチンコ遊技機の画像表示取付装置。
【発明の詳細な説明】
【技術分野】
【０００１】
本発明は、構造が簡単なパチンコ遊技機の画像表示取付装置に関する。
【背景技術】
【０００２】
図３は、特許文献１で開示されたパチンコ遊技機の画像表示取付装置を示す。図３において遊技機枠３１が固定枠３２と可動枠３３とを備え、画像表示収容部３４と払出ユニット３５とが可動枠３３の後部に設けられ、画像表示ユニット３６が可動枠３３の画像表示収容部３４に収容され、払出ユニット３５が閉じられることによって、画像表示ユニット３６が可動枠３３の後部に装着されるようになっている。しかしながら、画像表示ユニット３６を可動枠３３に取り付けるために、払出ユニット３５と画像表示収容部３４とが可動枠３３の後部に設けられるので、画像表示ユニット３６の遊技機枠３１への取付装置の構造が複雑であるという欠点がある。
【特許文献１】特開２００５−１３１３２８号公報
【発明の開示】
【発明が解決しようとする課題】
【０００３】
発明が解決しようとする問題点は、画像表示ユニットの遊技機枠への取付装置の構造が複雑という点である。
【課題を解決するための手段】
【０００４】
本発明に係るパチンコ遊技機の画像表示取付装置は、遊技機枠は固定枠の前部に可動枠を開閉可能に備え、可動枠には前方に開口し前後方向に奥行の有る箱形に構成された盤収容室が設けられ、盤収容室の後壁には画像表示ユニットの表示画面を見せるための透視開口部と画像表示ユニットを左右方向に移動可能でかつ前後方向に移動不能となるように摺接係合させる上下に相対峙するレールとが設けられ、画像表示ユニットがレールに嵌め込まれ、画像表示ユニットの表示画面が透視開口部と前後方向で対向した後、画像表示ユニットがレールに後方からねじ釘で固定されたことを最も主要な特徴とする。少なくとも一方のレールにストッパが設けられ、画像表示ユニットがレールに嵌め込まれ、画像表示ユニットの表示画面が透視開口部と前後方向で対向した場合、画像表示ユニットがストッパで受け止められてもよい。
【発明の効果】
【０００５】
本発明に係るパチンコ遊技機の画像表示取付装置は、可動枠の後部に左右方向に移動可能でかつ前後方向に移動不能となるように摺接係合させる上下に相対峙するレールが設けられればよいので、画像表示ユニットの遊技機枠への取付装置の構造が簡単であり、画像表示ユニットがレールに装着された後、画像表示ユニットがレールに後方からねじ釘で固定されるので、画像表示ユニットの脱落を防止することができるうえ、画像表示ユニットが補強材となって可動枠の撓みを防止することができるという利点がある。少なくとも一方のレールにストッパが設けられ、画像表示ユニットがレールに嵌め込まれ、画像表示ユニットの表示画面が透視開口部と前後方向で対向した場合、画像表示ユニットがストッパで受け止められれば、画像表示ユニットがレールに後方からねじ釘で固定されることによって、画像表示ユニットがストッパとねじ釘とで左右方向に挟まれるので、画像表示ユニットがレールに適切に固定されるという利点がある。
【発明を実施するための最良の形態】
【０００６】
図１は、パチンコ遊技機の遊技機枠１と画像表示ユニット１５とを分解して示す。図２は、可動枠３と画像表示ユニット１５との組み立てられた形態を示す。本明細書において、「前」、「後」、「左」、「右」、「上」、「下」の方向は、図１の状態に遊技機枠１および画像表示ユニット１５を置いて矢印Ｓで示す前方から見た場合に特定される方向である。
【０００７】
図１を参照し、パチンコ遊技機の画像表示取付装置について説明する。パチンコ遊技機の画像表示取付装置は、遊技機枠１に画像表示ユニット１５を取り付けるための装置である。遊技機枠１は、固定枠２の前部に可動枠３を開閉可能に備える。固定枠２は、遊技機設置設備に固定される外枠とも呼ばれる。遊技機設置設備は、パチンコ遊技機を設置する遊技店の島と呼ばれる設備である。可動枠３は、左側部に位置するヒンジ４を中心とし、固定枠２の前部において前方に開かれかつ後方に閉じられるように片開き可能な前枠とも呼ばれる。
【０００８】
可動枠３は、発射取付部５および盤収容室６を備える。盤収容室６は、前方に開口し、前後方向に奥行の有る箱形に構成される。発射取付部５には、図外の発射機構が取り付けられる。盤収容室６の後壁には、透視開口部７とレール８；９が設けられる。透視開口部７は、画像表示ユニット１５における方形な表示画面を見せるためのものであって、画像表示ユニット１５の表示画面と対応する方形な前後方向への貫通孔として構成される。レール８；９は、上下に相対峙し、盤収容室６の後部に固定され、画像表示ユニット１５を左右方向に移動可能でかつ前後方向に移動不能となるように摺接係合させる構造である。
【０００９】
レール８は、左右方向に直線的に延びた下向きの溝を構成する。レール８の下向きの溝は、レール８における上壁と前壁と後壁とによって囲まれ、下方および右方に開口する。レール８には、ストッパ１０および表示固定部１１が設けられる。ストッパ１０は、レール８の下向き溝の左側開口を閉鎖するように、レール８から折り曲げられており、画像表示ユニット１５がレール８；９に嵌め込まれ、画像表示ユニット１５の表示画面が透視開口部７と前後方向で対向した場合、画像表示ユニット１５を受け止められる部材である。表示固定部１１は、ねじ釘２２のねじ部を前後方向に挿入させる凹部または貫通孔としてレール８の後壁に設けられる。
【００１０】
レール９は、左右方向に直線的に延びた上向きの溝を構成する。レール９の上向きの溝は、レール９における下壁と前壁と後壁とによって囲まれ、上方および右方に開口する。レール９には、ストッパ１２および表示固定部１３が設けられる。ストッパ１２は、レール９の上向き溝の左側開口を閉鎖するように、レール９の左端部から折り曲げられており、画像表示ユニット１５がレール８；９に嵌め込まれ、画像表示ユニット１５の表示画面が透視開口部７と前後方向で対向した場合、画像表示ユニット１５を受け止められる部材である。表示固定部１３は、ねじ釘２３のねじ部を締結する孔としてレール８の前壁に設けられる。
【００１１】
画像表示ユニット１５は、画像表示器１６が表示容器１７に収容され、画像表示器１６の表示画面が画像表示ユニット１５の表示画面を構成しかつ表示容器１７の前方から見える構造である。画像表示器１６は、液晶表示器などの面状表示器により構成される。表示容器１７は合成樹脂から構成される。表示容器１７の上縁部および下縁部には、滑動部１８；１９が設けられる。
【００１２】
滑動部１８は、レール８に前後方向にがたつくことなく左右方向に移動し得るように嵌め込まれるものであって、レール固定部２０を備える。レール固定部２０は、ねじ釘２２のねじ部を締結する孔を構成する。滑動部１９は、レール９に前後方向にがたつくことなく左右方向に移動し得るように嵌め込まれるものであって、レール固定部２１を備える。レール固定部２１は、ねじ釘２３のねじ部を前後方向に挿入させる貫通孔を構成する。
【００１３】
画像表示ユニット１５の可動枠３への着脱の仕方について説明する。この着脱は機械で行うことも可能であるが、手作業で行う場合を例として説明する。画像表示ユニット１５が可動枠３に取り付けられる場合、図１に示すように、作業者が画像表示ユニット１５を手で持ち、画像表示ユニット１５の表示画面が前方に向けられ、画像表示ユニット１５の左側部が可動枠３の右側部に向けられる。そして、滑動部１８がレール８の右側部に嵌め込まれ、滑動部１９がレール９の右側部に嵌め込まれる。つまり、画像表示ユニット１５の左側部が、左右方向に移動可能でかつ前後方向に移動不能となるように、レール８；９に装着される。
【００１４】
次に、画像表示ユニット１５が右から左方向に移動させられ、滑動部１８がストッパ１０に受け止められ、滑動部１９がストッパ１２に受け止められ、表示固定部１１とレール固定部２０とが互いに前後方向で対向し、表示固定部１３とレール固定部２１とが互いに前後方向で対向し、画像表示ユニット１５の表示画面が透視開口部７と対向する。その後、ねじ釘２２がレール８の後方から表示固定部１１を経由してレール固定部２０に締結され、ねじ釘２３がレール９の後方からレール固定部２１を経由して表示固定部１３に締結される。これによって、図２に示すように、画像表示ユニット１５の表示画面が可動枠３の前方から透視開口部７を通して視認可能になる。図２において、画像表示ユニット１５が可動枠３から取り外される場合、ねじ釘２２；２３が取り外された後、作業者が画像表示ユニット１５を手で持って矢印Ｘ１で示すように左から右方向に移動すると、画像表示ユニット１５がレール８；９から右方向に引き抜かれて可動枠３の後部から取り外される。
【００１５】
図１において、画像表示ユニット１５の遊技機枠１への取付装置として、画像表示ユニット１５を左右方向に移動可能でかつ前後方向に移動不能となるように摺接係合させる上下に相対峙するレール８；９が可動枠３の後部に設けられればよいので、画像表示ユニット１５の遊技機枠１への取付装置の構造が簡単であるという利点がある。
【００１６】
画像表示ユニット１５が遊技機枠１の側方で可動枠３の後部のレール８；９に抜き差し可能に嵌め込めるので、画像表示ユニット１５が例えば２０インチなどの大形で重い液晶表示器などの画像表示器１６を用いた場合あっても、画像表示ユニット１５がレール８；９に嵌め込まれれば、下側のレール９が画像表示ユニット１５の重量を負担するので、作業者が大形で重い画像表示ユニット１５を可動枠３の後部に装着する場合であっても、作業者の負担を軽減できるという利点がある。
【００１７】
図２に示すように、滑動部１８；１９がレール８；９に嵌め込まれ、図１の表示固定部１１と図１のレール固定部２０とが互いに前後方向で対向し、表示固定部１３とレール固定部２１とが互いに前後方向で対向し、画像表示ユニット１５の表示画面が透視開口部７と対向した後、画像表示ユニット１５がレール８；９に後方からねじ釘２２；２３で固定されるので、画像表示ユニット１５の脱落を防止することができるうえ、画像表示ユニット１５が補強材となって可動枠３の撓みを防止することができるという利点がある。
【００１８】
図１に示すようにストッパ１０；１２がレール８；９に設けられているので、画像表示ユニット１５がレール８；９に後方からねじ釘２２；２３で固定されることによって、画像表示ユニット１５の滑動部１８；１９がストッパ１０；１２とねじ釘２２；２３とで左右方向に挟まれるので、画像表示ユニット１５がレール８；９に適切に固定されるという利点がある。
【産業上の利用可能性】
【００１９】
図１において、ストッパ１０；１２のいずれか一方を除去してもよい。表示固定部１１とレール固定部２０およびねじ釘２２からなる固定要素、表示固定部１３とレール固定部２１およびねじ釘２３からなる固定要素のいずれか一方を除去してもよい。
【００２０】
図１において、図外のタンクおよび図外の払出機構が、盤収容室６の上部に配置され、可動枠３の後部に取り付けられる。図外の上扉および図外の下扉が可動枠３の前部に、図外の左側部に位置するヒンジを中心とし、前方に開かれかつ後方に閉じられるように開閉可能に設けられる。上扉は、パネル枠とも呼ばれ、図外の窓および図外の前パネルを備える。前パネルは透明ガラスなどから構成され、窓を塞ぐように、上扉に取り付けられる。下扉の前部には、図外の受皿や発射操作機構が設けられる。可動枠３が固定枠２に開閉不能に支持され、上扉が可動枠から前方に開かれ、図外の遊技盤が可動枠の前方から盤収容室に収容された後、上扉が可動枠に開閉不能に支持された場合、遊技盤の前面が遊技機枠１の前方から窓および窓パネルを通して視認可能になる。表示容器１７の後壁には、制御装置が単数または複数設けられる。遊技盤には、画像表示ユニット１５の表示画面に表示された画像を遊技機枠１の前方から遊技者に見せるための開口部のような視認領域が設けられることはいうまでもない。
【図面の簡単な説明】
【００２１】
【図１】パチンコ遊技機の画像表示取付装置の分解斜視図（最良の形態）。
【図２】パチンコ遊技機の画像表示取付装置の組立斜視図（最良の形態）。
【図３】パチンコ遊技機の画像表示取付装置の斜視図（従来）。
【符号の説明】
【００２２】
１は遊技機枠、２は固定枠、３は可動枠、４はヒンジ、５は発射取付部、６は盤収容室、７は透視開口部、８；９はレール、１０はストッパ、１１は表示固定部、
１２はストッパ、１３は表示固定部、１４は欠番、１５は画像表示ユニット、
１６は画像表示器、１７は表示容器、１８；１９は滑動部、２０；２１はレール固定部、２２；２３はねじ釘、２４乃至３０は欠番、３１は遊技機枠、３２は固定枠、
３３は可動枠、３４は画像表示収容部、３５は払出ユニット、３６は画像表示ユニット。
【図１】
2009056250.tif 000003
【図２】
2009056250.tif 000004
【図３】
2009056250.tif 000005